(57)【特許請求の範囲】
【請求項１】
浴槽エプロンの略垂直な平面部に設けられた浴槽側へ凹状に形成された垂直平面部には作業口が形成され、該作業口には、該作業口を止水する内蓋が取り付けられ、該内蓋の外側には、下部側にエプロン側へ屈曲した下側面部を有する外蓋が取り付けられてなり、前記エプロン垂直平面部の下端には浴槽側へ屈曲した下側面部が形成され、前記外蓋の下側面部の屈曲のラインより下方に、前記エプロン垂直平面部の下側面部の屈曲のラインがある作業口蓋の取付構造であって、
前記内蓋の下部側に、前記エプロン垂直平面部の下側面部の下側に回り込む回り込み部が形成され、該回り込み部に、前記外蓋を取り付けるための取付片が設けられていることを特徴とする作業口蓋の取付構造。
【発明の詳細な説明】
【技術分野】
【０００１】
本発明は、浴槽エプロンに形成される作業口に取り付けられる作業口蓋の取付構造に関するものである。
【背景技術】
【０００２】
従来、特許文献１に開示されているように、浴槽のカウンターの略Ｌ型のコーナー部エプロンに点検口を設け、この点検口に二重蓋を取り付ける構造が存在する。
【特許文献１】特開平９−５６６２３号公報
【発明の開示】
【発明が解決しようとする課題】
【０００３】
従来の構造では、コーナー部に二重蓋を取り付けるものであり、コーナー部の曲がった部分であるため、点検口を良好に止水することが困難であるという問題点があった。
【課題を解決するための手段】
【０００４】
本発明は上記従来の問題点に鑑み案出したものであって、作業口を大きく開口させることができ、しかも良好に作業口を止水して蓋することのできる作業口蓋の取付構造を提供するものであり、その請求項１は、浴槽エプロンの略垂直な平面部に設けられた浴槽側へ凹状に形成された垂直平面部には作業口が形成され、該作業口には、該作業口を止水する内蓋が取り付けられ、該内蓋の外側には、下部側にエプロン側へ屈曲した下側面部を有する外蓋が取り付けられてなり、前記エプロン垂直平面部の下端には浴槽側へ屈曲した下側面部が形成され、前記外蓋の下側面部の屈曲のラインより下方に、前記エプロン垂直平面部の下側面部の屈曲のラインがある作業口蓋の取付構造であって、
前記内蓋の下部側に、前記エプロン垂直平面部の下側面部の下側に回り込む回り込み部が形成され、該回り込み部に、前記外蓋を取り付けるための取付片が設けられていることである。
【発明の効果】
【０００５】
本発明の作業口蓋の取付構造は、浴槽エプロンの略垂直な平面部に設けられた浴槽側へ凹状に形成された垂直平面部には作業口が形成され、該作業口には、該作業口を止水する内蓋が取り付けられ、該内蓋の外側には、下部側にエプロン側へ屈曲した下側面部を有する外蓋が取り付けられてなり、前記エプロン垂直平面部の下端には浴槽側へ屈曲した下側面部が形成され、前記外蓋の下側面部の屈曲のラインより下方に、前記エプロン垂直平面部の下側面部の屈曲のラインがある作業口蓋の取付構造であって、前記内蓋の下部側に、前記エプロン垂直平面部の下側面部の下側に回り込む回り込み部が形成され、該回り込み部に、前記外蓋を取り付けるための取付片が設けられていることにより、エプロン垂直平面部を下に広げることができて、作業口を下方側まで大きく開口させることができ、しかも、作業口の下方側まで良好に外蓋の下側面部で覆蓋することができる。
また、外蓋の固定が確実なものとなり、がたつくことなく外蓋を取り付けることができるものとなる。
【実施例】
【０００６】
以下、本発明の実施例を図面に基づいて説明する。
図１は、浴室の概略構成図であり、浴室１内には、浴槽２と、洗い場を形成する洗い場防水パン３が設けられており、この浴槽２は、高さ調節ボルト５を垂下させたフレーム４ａ上に設けられており、また、洗い場防水パン３は、高さ調節ボルト５を垂下させたフレーム４ｂ上に設けられている。
【０００７】
洗い場防水パン３の浴槽２側には排水枡３ａが形成されており、排水枡３ａの下部には排水トラップ６が取り付けられている。この排水枡３ａ側から立ち上げて浴槽２のエプロン７が立設されており、このエプロン７から横方向にカウンター８が壁面に設けられており、カウンター８上には、ハンドシャワー１０を備えた水栓９が設けられ、またカウンター８上方の壁面には鏡１１が設けられている。
【０００８】
浴槽のエプロン７には、図２の概略縦断面構成図で示すように、作業用の作業口１２が開口されており、この作業口１２には、洗い場防水パン３側から止水材Ｃを介在させて内蓋１５が取り付けられて止水され、更に内蓋１５の外側には外蓋１６が取り付けられている。
本例では、エプロン７は、図３の平面構成図で示すように、洗い場防水パン３側へ湾曲状に出っ張った湾曲部Ｐを有しており、この湾曲部Ｐに、図４の表側からの斜視図で、また図５に裏側からの斜視図で示すように、前記作業口１２が開口されている。
【０００９】
先ず、エプロン７の構造を説明すると、エプロン７の上端には、上方へ立ち上げて引っ掛け立片７ａが形成されており、引っ掛け立片７ａの下端から洗い場側へ略水平に突出して上水平片７ｂが形成され、上水平片７ｂの前端から垂下状に前面片７ｃが形成され、前面片７ｃの下端で浴槽２側へ略水平に延びる下水平片７ｄが形成され、下水平片７ｄの後端で略垂直な垂直平面部７ｅが一体形成されており、この垂直で且つ平面状をなす垂直平面部７ｅに前記作業口１２が開口されており、垂直平面部７ｅの下端で傾斜状に浴槽２側へ屈曲して下側面部７ｆが一体形成され、下側面部７ｆの後端から垂下状に垂下片７ｇが形成され、垂下片７ｇの下端に略水平に接合部７ｈが形成されたものとなっており、この接合部７ｈが洗い場防水パン３にシリコンを塗布した状態で接合されるものである。
【００１０】
なお、図２において、浴槽２の上端には、外側へ突出してフランジ部２ａが一体形成され、フランジ部２ａの先端で垂下部２ｂが垂設されており、この垂下部２ｂの裏側へエプロン７の引っ掛け立片７ａを引っ掛けて、エプロン７の上端を浴槽のフランジ部２ａの裏側に掛止して、エプロン７を取り付けできるものである。
【００１１】
エプロン７の下水平片７ｄと垂直平面部７ｅで浴槽２側へ凹んだ凹部１３が形成されており、この凹部１３内に内蓋１５と外蓋１６が取り付けられて、外蓋１６とエプロン７の前面片７ｃがほぼ面一状にすっきりとした状態となるように構成されている。この凹部１３の前記垂直平面部７ｅに開口されている作業口１２の外周には、複数のナット部材取付用の取付部１４，１４，１４が形成されている。
【００１２】
なお、垂直平面部７ｅは、湾曲部Ｐに形成されたものであるため、なだらかな平面をなして浴槽２側へ傾斜し、その下端側の下側面部７ｆは、湾曲部Ｐ以外の部分に形成されている下側面部７ｆの上端の屈曲ライン７ｆｕよりも左端側へ下傾状に上端の屈曲ライン７ｆｕが形成されており、作業口１２の図４における図示左端側の下端コーナー部１２ａは下方側に位置して、作業口１２は四角形状よりも下端コーナー部１２ａの部分が下方側へ落ち込んだ広い開口面積に形成されている。
【００１３】
なお、このエプロン７の凹部１３の底側の前記垂直平面部７ｅに取り付けられて作業口１２を止水する内蓋１５は、略垂直で平面状をなす垂直平面部１５ａの下端に浴槽２側へ屈曲して回り込み部１５ｂが一体形成されており、この回り込み部１５ｂは、エプロン７の下側面部７ｆの下面に整合する傾斜角度に形成されている。
内蓋１５の垂直平面部１５ａの外周側には、複数のビス孔１５ｄ，１５ｄが形成されており、このビス孔１５ｄは、エプロン７側の取付部１４，１４，１４と整合する位置に形成されたものである。また、内蓋１５の左右側の外周には、突出状に爪部１５ｃ，１５ｃが形成されており、上端には外蓋受け部１５ｅが突出形成されている。
また、回り込み部１５ｂには外蓋取付片１５ｆが突出形成されており、ビス孔１５ｇが形成されている。
なお、この内蓋１５の爪部１５ｃ及びビス孔１５ｄの部分は、図６の平面拡大図で示すような形状となっている。
【００１４】
また、外蓋１６は、図４の表側からの斜視図で、また図５の裏面側からの斜視図で示すような構造となっており、略垂直で平面状をなす垂直平面部１６ａの上端には、エプロン７側へ略水平に折り曲げて水平片１６ｂが一体形成され、垂直平面部１６ａの下端には、エプロン７側へ屈曲して下傾状に下側面部１６ｃが形成されている。
【００１５】
この外蓋１６の左右端側には、図６の平面図で示すように、エプロン７側へ突出して係合爪片１６ｄ，１６ｄが形成され、この係合爪片１６ｄの内側には、背の低いリブ１６ｅ，１６ｅが突出形成されている。
なお、エプロン７はプレス成形品であり、内蓋１５と外蓋１６は射出成形品で構成されている。
【００１６】
なお、図６及び図７の要部拡大図で示すように、エプロン７の作業口１２の外周の取付部１４には、ナット部材Ｎをそれぞれ取り付けておき、このナット部材Ｎに対し内蓋１５のビス孔１５ｄを整合させて凹部１３内に内蓋１５を嵌め込み、ビスＢをワッシャＷを介してビス孔１５ｄ内に通してナット部材Ｎに締め付けることで、内蓋１５を作業口１２に水密状に取り付けて作業口１２を止水することができるものである。
なお、図７に示すように、エプロン７に内蓋１５を取り付ける際に、内蓋１５に止水材Ｃを貼着等しておき、この止水材Ｃを内蓋１５でエプロン７の垂直平面部７ｅに押し付けて、確実に作業口１２を止水することができるものである。
【００１７】
即ち、この内蓋１５で止水しないと、洗い場防水パン３側からの水が作業口１２を通して浴槽２の底側へ流れ込み、浴槽２の底側には防水パンが存在しないために、スラブ面Ｓに水が流出してしまうからである。
このように、内蓋１５で作業口１２を止水させ、その状態で内蓋１５に対し洗い場防水パン３側から外蓋１６をエプロン７の凹部１３内に取り付けるのであるが、この時は図６及び図７の平面図で示すように、内蓋１５の爪部１５ｃを外蓋１６の係合爪片１６ｄとリブ１６ｅ間に挟み込んで、内蓋１５に外蓋１６を嵌め込むことができるものである。
また、内蓋１５の外蓋受け部１５ｅに外蓋１６の上端の水平片１６ｂを掛止させて落下を防ぐことができ、更には、内蓋１５の回り込み部１５ｂに形成されている外蓋取付片１５ｆに外蓋１６の下側面部１６ｃを係合させて、がたつくことなく確実に外蓋１６を取り付けることができるものである。
【００１８】
なお、取付状態では、図２の縦断面構成図で示すように、エプロン７の下側面部７ｆの下側へ回り込んで内蓋１５の回り込み部１５ｂが当接されて、この内蓋の回り込み部１５ｂの下方側へ外蓋１６の下側面部１６ｃが回り込んで、外蓋の下側面部１６ｃにより、内蓋の回り込み部１５ｂ及びエプロンの下側面部７ｆを隠蔽させることができ、すっきりとした設置状態が得られるものであり、取付状態では、エプロン７の下側面部７ｆの上端の屈曲ラインよりも上方に外蓋１６の下側面部１６ｃの上端の屈曲ライン１６ｃｕが配置されるものである。
【００１９】
図２では、外蓋１６の下側面部１６ｃの上端の屈曲ライン１６ｃｕは、作業口１２の下端よりも上方に位置しており、これは作業口１２の下端コーナー部１２ａが下方側へ向かって広く開口されているため、この作業口の下端コーナー部１２ａの部分をも完全にこの外蓋１６の下側面部１６ｃで隠蔽させるように構成したものである。
従って、エプロンの作業口１２は、下端コーナー部１２ａの部分が下方側へ相当広い開口で延びていても良好に外蓋１６の下側面部１６ｃで覆い隠すことができ、エプロン外観のデザインが下側面部７ｆが上方にあっても、そのデザインを維持したままで作業口１２を極めて広い開口面積に設定することができ、作業等を良好に行うことができるものとなる。
【図面の簡単な説明】
【００２０】
【図１】浴室内の全体構成図である。
【図２】浴槽にエプロンと内蓋と外蓋を取り付けた状態の縦断面構成図である。
【図３】エプロンの平面概略構成図である。
【図４】エプロンと内蓋と外蓋を表面側から見た分解斜視構成図である。
【図５】エプロンと内蓋と外蓋を裏面側から見た分解斜視構成図である。
【図６】エプロンと内蓋と外蓋の係合状態を示す取り付け前の分解平面構成図である。
【図７】図６の取付状態の要部拡大平面構成図である。
【符号の説明】
【００２１】
１  浴室
２  浴槽
２ａ  フランジ部
２ｂ  垂下部
３  洗い場防水パン
４ａ，４ｂ  フレーム
７  エプロン
７ａ  引っ掛け立片
７ｂ  上水平片
７ｃ  前面片
７ｄ  下水平片
７ｅ  垂直平面部
７ｆ  下側面部
７ｇ  垂下片
７ｈ  接合部
１２  作業口
１２ａ  下端コーナー部
１３  凹部
１４  ナット部材取付部
１５  内蓋
１５ａ  垂直平面部
１５ｂ  回り込み部
１５ｃ  爪部
１５ｅ  外蓋受け部
１５ｆ  外蓋取付片
１５ｄ，１５ｇ  ビス孔
１６  外蓋
１６ａ  垂直平面部
１６ｃ  下側面部
１６ｃｕ  下側面部の上端の屈曲ライン
１６ｄ  係合爪片
１６ｅ  リブ
Ｐ  湾曲部
【図１】
0004757036.tif 000002
【図２】
0004757036.tif 000003
【図３】
0004757036.tif 000004
【図４】
0004757036.tif 000005
【図５】
0004757036.tif 000006
【図６】
0004757036.tif 000007
【図７】
0004757036.tif 000008